(57)【特許請求の範囲】
【請求項１】
無線通信のための方法であって、
第１のセルによって第１のユーザ機器（ＵＥ）へ送信された第１のデータ送信と、第２のセルによって第２のＵＥへ送信された第２のデータ送信とを備える受信信号を前記第１のＵＥにおいて取得することと、
前記第２のデータ送信のための少なくとも１つの送信パラメータの情報を取得することと、
前記少なくとも１つの送信パラメータの情報と、前記第２のセルによって前記第２のＵＥへ送信された第２のデータ送信に用いられる少なくとも１つのスクランブリング・シーケンスとに基づいて、前記第２のデータ送信のための干渉緩和を実行し、前記第１のＵＥへ送信された前記第１のデータ送信を復元することと、を備え、
前記干渉緩和を実行することは、前記第２のデータ送信を復号して、前記第２のセルによって前記第２のＵＥへ送信された少なくとも１つのパケットを復元し、前記少なくとも１つのパケットに基づいて、前記第２のデータ送信による干渉を推定することによって、前記第２のデータ送信のための干渉緩和をパケット・レベルで実行することを備える、方法。
【請求項２】
無線通信のための方法であって、
第１のセルによって第１のユーザ機器（ＵＥ）へ送信された第１のデータ送信と、第２のセルによって第２のＵＥへ送信された第２のデータ送信とを備える受信信号を前記第１のＵＥにおいて取得することと、
前記第２のデータ送信のための少なくとも１つの送信パラメータの情報を取得することと、
前記少なくとも１つの送信パラメータの情報と、前記第２のセルによって前記第２のＵＥへ送信された第２のデータ送信に用いられる少なくとも１つのスクランブリング・シーケンスとに基づいて、前記第２のデータ送信のための干渉緩和を実行し、前記第１のＵＥへ送信された前記第１のデータ送信を復元することと、を備え、
前記少なくとも１つの送信パラメータの情報を取得することは、前記少なくとも１つの送信パラメータの情報を、前記第２のセルによって前記第２のＵＥへ送信されたパイロットから取得することを備え、
前記干渉緩和を実行することは、前記第２のデータ送信を復号して、前記第２のセルによって前記第２のＵＥへ送信された少なくとも１つのパケットを復元し、前記少なくとも１つのパケットに基づいて、前記第２のデータ送信による干渉を推定することによって、前記第２のデータ送信のための干渉緩和をパケット・レベルで実行することを備える、方法。
【請求項３】
無線通信のための装置であって、
第１のセルによって第１のユーザ機器（ＵＥ）へ送信された第１のデータ送信と、第２のセルによって第２のＵＥへ送信された第２のデータ送信とを備える受信信号を前記第１のＵＥにおいて取得する手段と、
前記第２のデータ送信のための少なくとも１つの送信パラメータの情報を取得する手段と、
前記少なくとも１つの送信パラメータの情報と、前記第２のセルによって前記第２のＵＥへ送信された第２のデータ送信に用いられる少なくとも１つのスクランブリング・シーケンスとに基づいて、前記第２のデータ送信のための干渉緩和を実行し、前記第１のＵＥへ送信された前記第１のデータ送信を復元する手段と、を備え、
前記干渉緩和を実行する手段は、前記第２のデータ送信を復号して、前記第２のセルによって前記第２のＵＥへ送信された少なくとも１つのパケットを復元し、前記少なくとも１つのパケットに基づいて、前記第２のデータ送信による干渉を推定することによって、前記第２のデータ送信のための干渉緩和をパケット・レベルで実行する手段を備える、装置。
【発明の詳細な説明】
【優先権主張】
【０００１】
本特許出願は、「ダウンリンク干渉緩和を可能にすること」（ENABLING DOWNLINK INTERFERENCE MITIGATION）と題された２００９年６月４日出願の米国仮出願６１／１８４，２０６号と、「ダウンリンク干渉緩和を可能にすること」（ENABLING DOWNLINK INTERFERENCE MITIGATION）と題された２００９年６月５日出願の米国仮出願６１／１８４，６７０号に対する優先権を主張する。これら出願は、本明細書に明確に組み込まれている。
【技術分野】
【０００２】
本開示は、一般に、通信に関し、さらに詳しくは、無線通信システムにおける干渉を緩和するための技術に関する。
【背景技術】
【０００３】
無線通信システムは、例えば音声、ビデオ、パケット・データ、メッセージング、ブロードキャスト等のようなさまざまな通信コンテンツを提供するために広く開発された。これら無線システムは、利用可能なシステム・リソースを共有することにより、複数のユーザをサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、およびシングル・キャリアＦＤＭＡ（ＳＣ−ＦＤＭＡ）システムを含む。
【０００４】
無線通信システムは、多くのユーザ機器（ＵＥ）のための通信をサポートしうる多くの基地局を含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。
【０００５】
ＵＥは、サービス提供セルと通信し、１または複数の近隣セルの範囲内に存在しうる。用語「セル」は、この有効通信範囲エリアにサービス提供している基地局および／または基地局サブシステムの有効通信範囲エリアを称しうる。ＵＥは、サービス提供セルによってダウンリンクでＵＥへ送られたデータ送信を受信しうる。ＵＥはまた、近隣セルによって他のＵＥへ送られたその他のデータ送信をも受信しうる。これら他のデータ送信は、ＵＥに対して干渉として表れ、サービス提供セルからのデータ送信を復元するＵＥの機能に悪影響を与えうる。パフォーマンスを向上するために、ダウンリンクにおける干渉を緩和することが望まれうる。
【発明の概要】
【０００６】
無線通信システムにおいて干渉を緩和するための技術が、本明細書で記載される。態様では、サービス提供されるＵＥのための適切な送信パラメータが、少なくとも１つの干渉を受けたＵＥへ送信され、干渉を受けた各ＵＥは、干渉緩和を実行できるようになる。これら送信パラメータは、変調オーダまたは変調スキーム、トラフィック対パイロット比（Ｔ２Ｐ）、事前符号化情報、送信ランク、ダウンリンク・リソース、および／または、サービス提供されたＵＥへのデータ送信のためのその他のパラメータを含みうる。
【０００７】
１つの設計では、第１のセルによって第１のＵＥへ送られたデータ送信のための少なくとも１つの送信パラメータの情報が取得されうる。少なくとも１つの送信パラメータの情報は、第２のセルによってサービス提供される少なくとも１つのＵＥへ送信され、これによって、少なくとも１つのＵＥは、第１のセルによって第１のＵＥへ送られたデータ送信のための干渉緩和を実行できるようになる。これら情報は、第１のセルまたは第２のセルの何れかによって取得され、送信されうる。
【０００８】
１つの設計では、第１のＵＥは、第１のセルによって第１のＵＥに送られた第１のデータ送信と、第２のセルによって第２のＵＥに送られた第２のデータ送信とを備える受信信号を取得しうる。第１のＵＥはまた、例えば第１のセルまたは第２のセルから、第２のデータ送信のための少なくとも１つの送信パラメータの情報をも取得しうる。第１のＵＥは、少なくとも１つの送信パラメータの情報に基づいて、第２のデータ送信のための干渉緩和を実行し、第１のＵＥへ送られた第１のデータ送信を復元する。
【０００９】
別の態様では、セルは、ＵＥの送信パラメータを、ＵＥへ送られたパイロットを介して送信しうる。１つの設計では、セルは、少なくとも１つの送信パラメータに基づいてデータ送信を生成しうる。セルはまた、少なくとも１つの送信パラメータの情報を備えるパイロット（例えば、専用パイロットまたはＵＥ特有の基準信号）を生成しうる。１つの設計では、セルは、少なくとも１つの送信パラメータの情報に基づいて、擬似乱数（ＰＮ）シーケンスを生成し、このＰＮシーケンスに基づいて、パイロットのための変調シンボルを生成しうる。このセルは、受信ＵＥに、パイロットおよびデータ送信を送りうる。他のＵＥは、データ送信のための干渉緩和を実行するために、パイロットにおける少なくとも１つの送信パラメータの情報を使用しうる。
【００１０】
また別の態様では、干渉を受けたＵＥが、所望の送信の変調シンボルと、干渉送信の変調シンボルとを区別できるようにするために、セルによって、シンボル・レベルでスクランブリングが実行されうる。１つの設計では、セルは、受信ＵＥのためのデータ送信のための変調シンボルを生成し、スクランブリング・シーケンスに基づいて、変調シンボルをスクランブルし、スクランブルされたシンボルを取得する。セルは、セル・アイデンティティ（ＩＤ）および／またはＵＥ  ＩＤに基づいてスクランブリング・シーケンスを生成しうる。セルは、データ送信のために、このスクランブルされたシンボルを送信しうる。干渉を受けた受信ＵＥはおのおの、スクランブリング・シーケンスを用いてデスクランブリングを実行し、データ送信の変調シンボルと、干渉送信の変調シンボルとを区別することができる。これは、干渉緩和のために役に立ちうる。
【００１１】
本開示のさまざまな態様および特徴が、以下にさらに詳細に記載される。
【図面の簡単な説明】
【００１２】
【図１】図１は、無線通信システムを示す。
【図２】図２は、ＵＥのためのデータ送信のための送信パラメータを伝送する専用パ    イロットを生成しうる送信プロセッサを示す。
【図３】図３は、シンボル・レベル・スクランブリングを実行しうる送信プロセッサ    を示す。
【図４】図４は、シンボル・レベル・デスクランブリングを実行しうる受信プロセッ    サを示す。
【図５】図５は、干渉緩和を実行するための処理を示す。
【図６】図６は、干渉緩和を実行するための装置を示す。
【図７】図７は、干渉緩和をサポートするために送信パラメータを送信する処理を示    す。
【図８】図８は、干渉緩和をサポートするために送信パラメータを送信する装置を示    す。
【図９】図９は、パイロットによって送信パラメータを送る処理を示す。
【図１０】図１０は、パイロットによって送信パラメータを送る装置を示す。
【図１１】図１１は、シンボル・レベル・スクランブリングを実行する処理を示す。
【図１２】図１２は、シンボル・レベル・スクランブリングを実行する装置を示す。
【図１３】図１３は、シンボル・レベル・デスクランブリングを実行する処理を示す。
【図１４】図１４は、シンボル・レベル・デスクランブリングを実行する装置を示す。
【図１５】図１５は、基地局およびＵＥのブロック図を示す。
【発明を実施するための形態】
【００１３】
本明細書に記述された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用される。「システム」、「ネットワーク」という用語はしばしば置換可能に使用される。ＣＤＭＡネットワークは、例えば、ユニバーサル地上ラジオ・アクセス（ＵＴＲＡ）、ｃｄｍａ２０００等のようなラジオ技術を実現することができる。ＵＴＲＡは、広帯域ＣＤＭＡ（ＷＣＤＭＡ（登録商標））、およびＣＤＭＡのその他の変形を含んでいる。ｃｄｍａ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ（登録商標））、ＩＥＥＥ  ８０２．１６（ＷｉＭＡＸ）、ＩＥＥＥ  ８０２．２０、Ｆｌａｓｈ−ＯＦＤＭ等のようなラジオ技術を実現する。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）およびＬＴＥアドバンスト（ＬＴＥ−Ａ）は、ダウンリンクではＯＦＤＭＡを適用し、アップリンクではＳＣ−ＦＤＭＡを適用するＥ−ＵＴＲＡを用いるＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートシップ計画」（３ＧＰＰ）と命名された組織からの文書に記載されている。ｃｄｍａ２０００およびＵＭＢは、「第３世代パートナシップ計画プロジェクト２」（３ＧＰＰ２）と命名された組織からの文書に記載されている。本明細書で記載された技術は、他のシステムおよびラジオ技術と同様に、上述されたシステムおよびラジオ技術のために使用されうる。
【００１４】
図１は、ＬＴＥシステム、ＣＤＭＡシステム等でありうる無線通信システム１００を示す。システム１００は、多くの基地局およびその他のネットワーク・エンティティを含みうる。簡略のために、図１には、２つの基地局１１０、１１２しか示されていない。基地局は、ＵＥと通信するエンティティであり、ノードＢ、イボルブド・ノードＢ（ｅＮＢ）、アクセス・ポイント等とも称されうる。おのおのの基地局は、特定の地理的エリアのために通信有効範囲を提供する。システム容量を改善するために、基地局の全体的な有効通信範囲が、多数（例えば３つ）のより小さなエリアへ分割されうる。３ＧＰＰでは、用語「セル」は、この有効通信範囲エリアにサービス提供している基地局および／または基地局サブシステムのうちの最小の有効通信範囲エリアを称しうる。基地局は、バックホールを介して、他のネットワーク・エンティティ（例えば、他の基地局および／またはネットワーク・コントローラ）と通信しうる。
【００１５】
システムの全体にわたって、多くのＵＥが分布しうる。そして、おのおののＵＥは、固定式または移動式でありうる。簡略のために、図１では、２つのＵＥ１２０、１２２しか示されていない。ＵＥは、移動局、端末、アクセス端末、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、スマート・フォン、ネットブック、スマートブック等でありうる。ＵＥは、サービス提供セルと通信し、１または複数の近隣セルの範囲内に存在しうる。ＵＥは、サービス提供セルから所望の送信を受信し、また、近隣セルから、ダウンリンクで、干渉送信を受信しうる。
【００１６】
本明細書における記載では、「セル」、「基地局」という用語は、置換可能に使用されうる。サービス提供セルは、ダウンリンクでＵＥにサービス提供するように指定されたセルまたは基地局である。近隣セルは、ＵＥにサービス提供しないセルまたは基地局である。「送信」および「シグナル」という用語は、置換可能に使用されうる。
【００１７】
図１では、ＵＥ１２０は、サービス提供セル１１０と通信し、ＵＥ１２２は、サービス提供セル１１２と通信しうる。ＵＥ１２０は、サービス提供セル１１０から所望の送信を受信し、また、近隣セル１１２から干渉送信をも受信しうる。干渉送信は、セル１１２によってサービス提供されるＵＥ１２２または他のセルに向けられたものでありうる。ＵＥ１２０は、このようにして、セル１１２からＵＥ１２２およびその他のセルへの送信によって、干渉を受けるＵＥでありうる。一般に、ＵＥ１２０は、任意の数の近隣セルから、任意の数の干渉送信を受信しうる。簡略のため、以下の記載の多くは、１つの近隣セル１１２から１つのＵＥ１２２への１つの干渉送信を持つ図１に示す例を仮定する。
【００１８】
干渉緩和は、近隣セルからのダウンリンクでの干渉を緩和するために、ＵＥによって実行されうる。干渉緩和は、受信信号における所望の送信を復元する可能性を向上するために、受信信号における干渉に対処する（例えば、抑制する）処理を称する。干渉緩和は、干渉除去によって達成されうる。干渉緩和は、受信信号に存在する干渉を取り扱う一方、干渉回避は、例えば、異なる周波数領域で、および／または、異なる時間インタバルで送信することによって、干渉を完全に回避することを試みる。干渉緩和は、システム容量の向上、有効通信範囲の拡大、および／または、強い干渉元セルに曝されたＵＥのデータ送信パフォーマンスの向上のために使用されうる。
【００１９】
干渉緩和は、２つの主要なクラスへ分類されうる。
【００２０】
・パケット・レベル干渉緩和  −  干渉送信の符号構造を活用することによって、干渉を緩和する。
【００２１】
・シンボル・レベル干渉緩和  −  干渉送信の変調オーダの情報または仮定に基づいて干渉を緩和する。
【００２２】
パケット・レベル干渉緩和の一例は、復号後干渉除去である。これは、以下のようにして実行されうる。ＵＥ１２０が、サービス提供セル１１０からの所望の送信と、ＵＥ１２２のために向けられた近隣セル１１２からの干渉送信とを備える受信信号を取得する。ＵＥ１１０は、この受信信号を処理し、受信信号中の干渉送信を復号しうる。干渉送信が正しく復号されると、ＵＥ１２０は、復号されたデータに基づいて、干渉送信による干渉を推定しうる。そして、この推定された干渉を、受信信号から引き去り、より高い信号対雑音および干渉比（ＳＩＮＲ）を有する、干渉除去された信号を得る。その後、ＵＥ１２０は、この干渉除去された信号を処理し、所望の送信を復号しうる。データ送信パフォーマンスは、干渉除去によって取得されたより高いＳＩＮＲによって向上しうる（例えば、より高いデータ・レートがサポートされうる）。
【００２３】
ＵＥ１２０が、干渉送信を受信し復号するために適切な送信パラメータを取得できる場合、復号後干渉除去がサポートされうる。これらのパラメータは、干渉送信のために使用された変調および符号化スキーム（ＭＣＳ）、干渉送信が送られたダウンリンク・リソース（例えばリソース・ブロック）、等を含みうる。近隣セル１１２は、これらのパラメータを備える制御情報（例えば、ダウンリンク許可）をＵＥ１２２へ送信しうる。このダウンリンク許可が、意図されたＵＥ１２２によって確実に受信されるように、近隣セル１１２は、電力制御および／またはレート制御を用いてダウンリンク許可を送信しうる。したがって、ＵＥ１２０は、電力制御および／またはレート制御を用いてＵＥ１２２へ送信されたダウンリンク許可を復号できないかもしれない。 
さらに、ＵＥ１２０が干渉送信のための適切な送信パラメータを受信することができても、ＵＥ１２０は、干渉送信を正しく復号できないことがある。干渉送信のＭＣＳは、近隣セル１１２とＵＥ１２２との間のチャネル品質に基づいて選択されうる。近隣セル１１２とＵＥ１２２との間のチャネル品質は、近隣セル１１２とＵＥ１２０との間のチャネル品質よりも恐らく良好になるであろう。これは、一般に各ＵＥは、最強のセルと関連しているという事実による。最強のセルは、ＵＥ１２０にとってサービス提供セル１１０である。したがって、ＵＥ１２０は、近隣セル１１２から、干渉送信のために使用されるＭＣＳのために要求されるＳＩＮＲよりも低いＳＩＮＲで干渉送信を受信しうる。
【００２４】
パケット・レベル干渉緩和が現実的でない場合、または、より低い複雑さが望まれる場合、シンボル・レベル干渉緩和が実行されうる。シンボル・レベル干渉緩和は、ＵＥ１２０が干渉送信を正しく復号することを必要としない。その代わり、ＵＥ１２０は、干渉送信を復調し、変調シンボルによる干渉を推定し、除去しうる。シンボル・レベル干渉緩和は、２つの主要なクラスへ分類されうる。
【００２５】
・ソフト・シンボル干渉除去  −  干渉送信の変調シンボルが推定され、受信信号から引き去られて、ＳＩＮＲが向上する。
【００２６】
・統合復調  −  干渉送信と所望の送信との変調シンボルが統合的に復調される。これは、「ソフト・ビット」、すなわち、所望の送信のためにデコーダに適用されるべき所望の送信のログ尤度比（ＬＬＲ）の計算することになる。
【００２７】
ソフト・シンボル干渉除去または統合復調はまた、復号とともに反復的に実行されうる。この場合、ソフト・シンボル干渉除去を備えた復調、または、統合復調が、受信シンボルに対して実行され、復調シンボルが取得される。その後、復調されたシンボルについて復号が実行され、デコーダ出力が取得される。そして、この処理が、１または複数回反復され、復調ステップの出力が、復号ステップに提供される。あるいは、その逆でもよい。復調ステップは、このように、復号ステップと交互し、所望の送信の変調シンボルのより良好な推定値が得られる。
【００２８】
態様では、サービス提供されたＵＥのためのデータ送信のための適切な送信パラメータが、少なくとも１つの、干渉を受けているＵＥに送信され、干渉を受けている各ＵＥは、干渉緩和を実行できるようになる。干渉送信を復調し、これら変調シンボルによる干渉を推定するために、干渉を受けているＵＥ（単数または複数）に適切な送信パラメータを提供することによって、シンボル・レベル干渉緩和がサポートされうる。これらパラメータは、以下のうちの１または複数を含みうる。
【００２９】
・干渉送信のために送信された変調オーダ／変調スキーム、
・干渉送信のＴ２Ｐ、
・干渉送信のための事前符号化情報、
・干渉送信の送信ランク、
・干渉送信のために使用されるダウンリンク・リソース、および／または、
・その他の送信パラメータ。
【００３０】
ＵＥ１２０は、干渉送信のために使用された変調オーダに基づいて干渉送信を復調しうる。この変調オーダは、システムによってサポートされる変調オーダのセットから選択されうる。サポートされている変調オーダは、バイナリ・フェーズ・シフト・キーイング（ＢＰＳＫ）、直交フェーズ・シフト・キーイング（ＱＰＳＫ）、１６レベル直交振幅変調（１６−ＱＡＭ）、６４−ＱＡＭ等を含みうる。１つの設計では、ＵＥ１２０は、後述するような干渉送信の（ＭＣＳ以外の）変調オーダを取得し、この変調オーダに基づいて、復調を実行しうる。別の設計では、ＵＥ１２０は、干渉送信について特定の変調オーダ（例えば、ＱＰＳＫ）を仮定し、仮定された変調オーダに基づいて復調を実行しうる。ＵＥ１２０は、実際の変調オーダが、仮定された変調オーダと一致する場合、最大ゲインを達成し、実際の変調オーダ（例えば、１６−ＱＡＭまたは６４−ＱＡＭ）が、仮定された変調オーダ（例えば、ＱＰＳＫ）と一致しない場合であっても、実質的なゲインを得る。また別の設計では、ＵＥ１２０は、変調オーダについての複数の仮説に基づいて復調を実行し、正しい復調を行う最大の可能性に関連付けられた仮説を選択しうる。最良の仮説は、おのおのの仮説について計算された、例えば、統合復調の場合には、ＬＬＲの絶対値、干渉除去を伴う復調の場合には、除去後のＳＩＮＲ、等のような１または複数の判定基準に基づいて識別されうる。
【００３１】
ＵＥ１２０は、近隣セル１１２からＵＥ１２０への無線チャネルを推定し、このチャネル推定を用いて、干渉緩和を実行しうる。ＵＥ１２０は、基準信号（またはパイロット）およびデータが、近隣セル１１２によってどのように送信されるかに依存して、異なる方式で、チャネル推定を実行しうる。ＵＥ１２０は、後述するように、チャネル推定を導出するために、干渉送信の事前符号化情報およびＴ２Ｐを使用しうる。事前符号化情報は、ＵＥ１２２のために、近隣セル１１２による事前符号化のために使用される重みを伝えうる。事前符号化情報は、事前符号化行列インジケータ（ＰＭＩ）、送信モード・インジケータ等を備えうる。ＰＭＩは、事前符号化のために使用される特定の重みのベクトルを示しうる。ＲＩは、送信するデータ・ストリームまたはパケットの数を示しうる。送信モード・インジケータは、例えばＬＴＥにおけるラージ・ディレイ・サイクリック・ディレイ・ダイバーシティ（ＬＤ−ＣＤＤ）のような、開ループ事前符号化または閉ループ事前符号化が用いられているのかを示しうる。閉ループ事前符号化または開ループ事前符号化は、指定された事前符号化重みに基づいて実行されうる。
【００３２】
ＵＥ１２０は、さらに、干渉送信の送信ランクに基づいて、干渉送信を復調しうる。送信ランクは、近隣セル１１２によってＵＥ１２２へ送信されたデータ・ストリームの数を示しうる。ＵＥ１２０はまた、干渉送信のために使用されるダウンリンク・リソースに基づいて、干渉送信を復調しうる。
【００３３】
ＵＥ１２０における受信信号は、以下のように表現されうる。  
【数１】
0005844313.tif 000002
【００３４】
ここで、Ｓ１（ｋ）は、サービス提供セル１１０からＵＥ１２０への所望の送信であり、
Ｓ２（ｋ）は、近隣セル１１２からの干渉送信であり、  Ｈ１は、サービス提供セル１１０からＵＥ１２０へのチャネル・ゲインであり、  Ｈ２は、近隣セル１１２からＵＥ１２０へのチャネル・ゲインであり、  Ｘ（ｋ）は、ＵＥ１２０における受信信号であり、  Ｎは、ＵＥ１２０における付加的な雑音である。
【００３５】
式（１）では、ｋは、所望の送信および干渉送信を送るために使用されるダウンリンク・リソースのインデクスでありうる。簡略のため、式（１）は、すべてのダウンリンク・リソースについて、不変のチャネル・ゲインを持つフラットなフェージング・チャネルを仮定する。チャネル・ゲインはまた、リソース・インデクスｋの関数でありうる。また、簡略のため、式（１）は、１つの近隣セルから１つのみの干渉送信しか仮定しない。
【００３６】
ＵＥ１２０は、以下のように干渉送信を干渉として取り扱うことによって、受信信号について最小平均平方誤り（ＭＭＳＥ）復調を実行しうる。  
【数２】
0005844313.tif 000003
【００３７】
ここで、  
【数３】
0005844313.tif 000004
【００３８】
は、サービス提供セルＵＥ１１０からＵＥ１２０へのチャネル・ゲインの推定値であり、
【数４】
0005844313.tif 000005
【００３９】
は、所望の送信の推定値であり、  
【数５】
0005844313.tif 000006
【００４０】
は、
【数６】
0005844313.tif 000007
【００４１】
である、所望の送信の雑音と干渉の合計の分散であり、  “＊”は、複素共役を表す。
【００４２】
簡略のため、式（２）は、ＵＥ１２０における１つの受信アンテナしか仮定しない。ＵＥ１２０が、複数の受信アンテナを備えている場合、ＭＭＳＥに基づく複数入力複数出力（ＭＩＭＯ）検出も実行されうる。干渉送信は、式（２）において干渉として取り扱われるので、ＵＥ１２０は、所望の送信について、低いＳＩＮＲを取得しうる。
【００４３】
１つの設計では、ＵＥ１２０は、パフォーマンスの向上のために、ソフト・シンボル干渉除去を実行しうる。ソフト・シンボル干渉除去のために、ＵＥ１２０はまず、以下の式に基づいて、干渉送信の推定値を得るために復調を実行しうる。  
【数７】
0005844313.tif 000008
【００４４】
ここで、  
【数８】
0005844313.tif 000009
【００４５】
は、近隣セル１１２からＵＥ１２０へのチャネル・ゲインの推定値であり、  
【数９】
0005844313.tif 000010
【００４６】
は、干渉送信の推定値であり、  Ｑ２は、ＵＥ１２０によって仮定された干渉送信の変調オーダを示し、  
【数１０】
0005844313.tif 000011
【００４７】
は、式（１）における付加的な雑音の分散であり、  Ｅ｛Ｕ｜Ｖ｝は、Ｖが観察された場合に、期待されるＵの値を示す。
【００４８】
式（３）に示すように、ＵＥ１２０は、干渉送信の推定値  
【数１１】
0005844313.tif 000012
【００４９】
を、受信信号Ｘ（ｋ）、チャネル推定値  
【数１２】
0005844313.tif 000013
【００５０】
、および  
【数１３】
0005844313.tif 000014
【００５１】
、雑音分散  
【数１４】
0005844313.tif 000015
【００５２】
、および干渉送信の変調オーダＱ２を取得しうる。
【００５３】
ＵＥ１２０は、その後、以下に示すように、干渉送信による干渉を推定し、受信信号から引き去る。  
【数１５】
0005844313.tif 000016
【００５４】
ここで、  
【数１６】
0005844313.tif 000017
【００５５】
は、推定された、干渉送信による干渉であり、  Ｙ（ｋ）は、干渉除去された信号であり、  Ｎｒは、所望の送信の残留雑音および干渉である。
【００５６】
その後、ＵＥ１２０は、以下に示すように、干渉除去された信号について、復調を実行しうる。  
【数１７】
0005844313.tif 000018
【００５７】
ここで、  
【数１８】
0005844313.tif 000019
【００５８】
は、Ｎｒの分散である。
【００５９】
干渉除去された信号では、干渉送信が除去されているので、ＵＥ１２０は、ソフト・シンボル干渉除去によって、所望の送信について、より高いＳＩＮＲを得ることができる。ＵＥ１２０は、サービス提供セル１１０によってＵＥ１２０へ送信されたデータを復元するために、所望の送信について復調されたシンボルをさらに処理（例えば、復号）しうる。
【００６０】
別の設計では、ＵＥ１２０は、パフォーマンスを向上するために、統合復調を実行しうる。ＵＥ１２０は、サービス提供セル１１０および近隣セル１１２の無線チャネルを推定しうる。ＵＥ１２０は、その後、最大事後確率（ＭＡＰ）基準に基づいて、統合復調を実行しうる。これは、いくつかの場合、距離判定基準を最小化することと等価でありうる。ＭＡＰ基準は、以下のように表されうる。  
【数１９】
0005844313.tif 000020
【００６１】
ここで、  
【数２０】
0005844313.tif 000021
【００６２】
は、所望の送信Ｓ１（ｋ）および干渉送信Ｓ２（ｋ）における変調シンボルを生成するために使用される各符号ビットの特定の値に関連付けられたログ尤度を示す。所望の送信Ｓ１（ｋ）を生成するために使用される所与の符号ビットｂのＬＬＲは、以下のように表される。  
【数２１】
0005844313.tif 000022
【００６３】
ここで、ＬＬＲｂは、符号ビットｂのＬＬＲである。
【００６４】
ＵＥ１２０は、最大尤度（ＭＬ）推定、または、当該技術で周知のその他いくつかの技術に基づいて統合復調を実行しうる。ＵＥ１２０は、（ｉ）サービス提供セルと近隣セルとのそれぞれのチャネル推定値  
【数２２】
0005844313.tif 000023
【００６５】
および  
【数２３】
0005844313.tif 000024
【００６６】
と、（ｉｉ）所望の送信の既知の変調オーダと、（ｉｉｉ）干渉送信の既知または仮定された変調オーダとを用いて統合復調を実行しうる。ＵＥ１２０は、統合変調から、所望の送信と干渉送信との両方について、変調シンボル  
【数２４】
0005844313.tif 000025
【００６７】
と  
【数２５】
0005844313.tif 000026
【００６８】
とを取得しうる。ＵＥ１２０は、干渉送信の復調されたシンボルを破棄しうる。そして、サービス提供セル１１０によってＵＥ１２０へ送信されたデータを復元するために、所望の送信の復調されたシンボルを処理（例えば、復号）しうる。
【００６９】
使用のために選択された干渉緩和技術に関わらず、ＵＥ１２０は、干渉緩和を実行するために、近隣セル１１２からＵＥ１２０への無線チャネルを推定することが必要でありうる。ＵＥ１２０は、基準信号（例えば、パイロット）がどのようにして送信されるかに依存して、異なる方式で、チャネル推定を実行しうる。
【００７０】
１つの設計では、セルはすべてのＵＥに、共通のパイロットを送信しうる。共通のパイロットはまた、セル特定基準信号（ＣＲＳ）等とも称されうる。セルは、事前符号化をすることなく、セルにおけるおのおののアンテナから、共通のパイロットを送信しうる。セルは、事前符号化を用いて、または、事前符号化することなく、適切な送信電力レベルでデータをＵＥへ送信しうる。データの送信電力レベルは、パイロットの送信電力レベルに対して明らかであり、Ｔ２Ｐ値によって与えられうる。
【００７１】
ＵＥ１２０は、セルから、そのアンテナで送信された共通のパイロットに基づいて、対象となる各セルの各アンテナのチャネル・ゲインを推定しうる。ＵＥ１２０は、その後、以下のように、各セルのチャネル推定値を取得しうる。 
【数２６】
0005844313.tif 000027
【００７２】
ここで、Ｇｍ１乃至ＧｍＮは、セルｍにおけるＮ個のアンテナのチャネル・ゲイン、ここでＮ≧１、であり、  Ｗｍ１乃至ＷｍＮは、セルｍにおけるＮ個のアンテナのための事前符号化重みであり、  Ｐｍは、干渉送信のＴ２Ｐによって決定される電力ゲインであり、  Ｈｍは、セルｍからＵＥ１２０へのチャネル・ゲインである。
【００７３】
式（８）に示されるように、セルｍからのデータ送信によって観察される実際のチャネルは、セルｍにおけるＮ個のアンテナの事前符号化重みと、データ送信のために使用されるＴ２Ｐとに依存しうる。セル１１２は、受信ＵＥ１２２にダイレクトにまたは非ダイレクトに、事前符号化重みおよびＴ２Ｐを送信しうる。例えば、セル１１２は、ダウンリンク許可において事前符号化重みを識別するＰＭＩを送信し、Ｔ２Ｐを上部レイヤ・シグナリングによってＵＥ１２２へ送信しうる。セル１１２はまた、例えばＬＴＥにおけるＬＤ−ＣＤＤのように、選択された送信モードによって、事前符号化重みを非ダイレクトに送信しうる。ＵＥ１２２は、セル１１２からのダイレクトまたは非ダイレクトなシグナリングに基づいて、事前符号化重みを判定することが可能でありうる。ＵＥ１２２はその後、セル１１２のＮ個のアンテナの推定されたチャネル・ゲインと、ＵＥ１２２にシグナルされた送信パラメータ（例えば、ＰＭＩおよび／またはＴ２Ｐ）とに基づいて、実際のチャネルを再構築しうる。これらのパラメータは、別のセル１１０によってサービス提供されている、干渉を受けたＵＥ１２０にも利用可能であり、これによって、ＵＥ１２０は、干渉緩和を実行しうる。
【００７４】
別の設計では、セルは、サービス提供されている特定のＵＥに、専用パイロットを送信しうる。専用パイロットはまた、専用基準信号（ＤＲＳ）、ＵＥ特有基準信号（ＵＥ−ＲＳ）等とも称されうる。セルは、データ送信のために使用されるダウンリンク・リソースのいくつかで、専用パイロットを送信しうる。そして、データ送信のために類似した方式で、専用パイロットを処理（例えば、事前符号化）しうる。専用パイロットは、その後、データ送信と同じチャネル全体を観察しうる。受信ＵＥは、専用パイロットおよびデータ送信のためにセルによって実行される処理（例えば、事前符号化および電力スケーリング）を知る必要なく、専用パイロットに基づいて、セルのチャネル推定値を取得しうる。同様に、干渉を受けたＵＥはまた、セルによって送信された専用パイロットに基づいて、セルのチャネル推定を取得しうる。
【００７５】
前述したように、サービス提供されたＵＥのために適切な送信パラメータが、干渉を受けたＵＥへ送信され、干渉を受けたＵＥは、干渉緩和を実行ことができるようになる。これらのパラメータは、例えば、変調オーダ、ＭＣＳ、Ｔ２Ｐ、事前符号化情報、送信ランク、ダウンリンク・リソース等のように、上述したパラメータのうちの何れかを含みうる。これらのパラメータは、さまざまな方式で送信されうる。
【００７６】
１つの設計では、所与のセルｍは、近隣セルによってサービス提供されている他のＵＥの送信パラメータを、セルｍによってサービス提供されているＵＥへ送信しうる。セルｍは、ＵＥの送信パラメータを、（例えば、図１に示すように、バックホールを介して）近隣セルへ送信しうる。セルｍはまた、近隣セルによってサービス提供されている他のＵＥのための送信パラメータを、例えば、バックホールを介して受信しうる。セルｍおよび近隣セルは、すべてのＵＥではなく、あるＵＥ（例えば、有効通信範囲の端部近傍に位置するＵＥ）のための送信パラメータを交換しうる。セル端部のＵＥは、これらセルによってサービス提供されるＵＥの位置、および／または、ＵＥによってなされたパイロット測定値に基づいて識別されうる。セルｍは、他のＵＥの送信パラメータを、例えば、すべてのＵＥへのブロードキャスト・シグナリングによって、または、特定のＵＥへのユニキャスト・シグナリングによって、または、ＵＥのグループへのマルチキャスト・シグナリングによって、ＵＥへ送信しうる。セルｍによってサービス提供されるＵＥは、近隣セルによってサービス提供される１または複数の他のＵＥのための送信パラメータを受信しうる。そして、送信パラメータに基づいて、干渉緩和を実行しうる。この設計によって、おのおののセルは、既存のシグナリング・スキームを用いて、近隣セル内の他のＵＥの送信パラメータを、このセルによってサービス提供されるＵＥへ確実に送信できるようになる。
【００７７】
別の設計では、所与のセルｍは、ＵＥの送信パラメータを、近隣セルによる他のＵＥへ送信しうる。セルｍは、近隣セル内の他のＵＥが、これら送信パラメータを確実に受信できるように、十分高い送信電力レベルで、ブロードキャスト、ユニキャスト、またはマルチキャスト・シグナリングによって、送信パラメータを送信しうる。セルｍによってサービス提供されるＵＥは、１または複数の近隣セルによってサービス提供される１または複数の他のＵＥのための送信パラメータを備えるシグナリングを受信しうる。ＵＥは、送信パラメータに基づいて、干渉緩和を実行しうる。この設計によって、おのおののセルは、バックホールによってパラメータを交換する必要なく、ＵＥのための送信パラメータを、近隣セル内の他のＵＥへと送信できるようになりえる。
【００７８】
一般に、所与のＵＥｚの送信パラメータは、サービス提供セル、近隣セル、および／または、その他いくつかのエンティティによって、干渉を受けた１または複数のＵＥへ送られうる。１つの設計では、送られた送信パラメータは、ＵＥｚのために実際に使用された実際のパラメータでありうる。この設計によって、干渉を受けたＵＥは、ＵＥｚへのデータ送信を復調できるようになりうる。別の設計では、送られた送信パラメータは、ＵＥｚのために使用される可能性の高いデフォルト・パラメータでありうる。例えば、システムは、ＱＰＳＫ、１６−ＱＡＭ、および６４−ＱＡＭをサポートしうる。そして、送られた送信パラメータは、ＱＰＳＫのデフォルトの変調オーダを伝送しうる。この場合、ＵＥｚのために使用される変調オーダは、恐らくは、ＱＰＳＫでありうるが、１６−ＱＡＭまたは６４−ＱＡＭでもありうる。この設計では、干渉を受けたＵＥは、デフォルト変調オーダに基づいて復調を実行しうる。実際の変調オーダがＱＰＳＫである場合、干渉を受けたＵＥは、最大ゲインを得る。そして、実際の変調オーダが１６−ＱＡＭまたは６４−ＱＡＭである場合であっても、実質的なゲインを取得しうる。セルは、データ送信のために使用されうる（例えば、異なる周波数サブ帯域のセット、異なるサブフレーム、または、異なる時間周波数ブロックのセットのような）異なるリソースのセットのために、所与の送信パラメータの別のデフォルト値を送信しうる。セルは、干渉を受けたＵＥによる干渉緩和パフォーマンスを向上するために、可能な程度まで、リソースの各セットのデフォルト・パラメータ値を使用しうる。
【００７９】
別の態様では、セルは、ＵＥへ送信された専用パイロットによって、ＵＥのための送信パラメータを送信しうる。セルは、ＰＮシーケンス、スクランブリング・シーケンス、または一定振幅ゼロ自動相関（ＣＡＺＡＣ）シーケンス、または他のいくつかのシーケンスに基づいて、専用パイロットを生成しうる。明確化のために、以下の記載は、ＰＮシーケンスの使用を仮定する。セルは、例えば、これらパラメータに基づいてＰＮシーケンスを生成することによって、送信パラメータに基づいて、専用パイロットを符号化またはスクランブルしうる。
【００８０】
図２は、ＵＥのためのデータ送信のための送信パラメータを伝送する専用パイロットを生成しうる、送信プロセッサ２００の設計のブロック図を示す。送信プロセッサ２００は、基地局／セルの一部でありうる。送信プロセッサ２００内では、エンコーダ２１０が、サービス提供されているＵＥのためのデータを受信し、選択された符号化スキームまたは符号レートに基づいてデータを符号化し、符号化されたデータを提供しうる。シンボル・マッパ２１２は、符号化されたデータを、選択された変調オーダに基づいて、変調シンボルへマップしうる。データの変調シンボルは、データ・シンボルと称されうる。
【００８１】
ＰＮ生成器２２０は、サービス提供されているＵＥのためのパラメータのセットを受信しうる。そして、このパラメータ・セットに基づいて、ＰＮシーケンスを生成しうる。このパラメータ・セットは、データおよび専用パイロットを送信しているセルのセルＩＤ、データ送信のための１または複数の送信パラメータ、および／または、その他のパラメータを含みうる。データ送信のための送信パラメータは、データ送信のために選択された変調オーダ、および／または、上述したパラメータのうちの何れかを含みうる。１つの設計では、ＰＮ生成器２２０は、パラメータ・セットに基づいてシード値を生成し、このシード値に基づいて、線形フィードバック・シフト・レジスタ（ＬＦＳＲ）を初期化しうる。ＬＦＳＲは、その後、特定の多項式生成器に基づいて、ＰＮシーケンスを生成しうる。シンボル・マッパ２２２は、専用パイロットのために使用される変調オーダに基づいて、ＰＮシーケンス内のビットを、変調シンボルにマップしうる。この変調オーダは、データ送信のために使用された変調オーダとは異なりうる。パイロットの変調シンボルは、パイロット・シンボルと称されうる。
【００８２】
マルチプレクサ（Ｍｕｘ）２３０は、シンボル・マッパ２１２からデータ・シンボルを受信し、シンボル・マッパ２２２からパイロット・シンボルを受信しうる。マルチプレクサ２３０は、データ送信のために使用されるリソースにデータ・シンボルを提供し、専用パイロットのために使用されるリソースにパイロット・シンボルを提供しうる。データ送信のためのリソースと、専用パイロットのためのリソースとは、データ送信のために受信ＵＥに割り当てられたリソースの一部でありうる。
【００８３】
図２に示すように、専用パイロットは、受信ＵＥのためのダウンリンク許可のシグニチャを伝送する。受信ＵＥは、セルによって送信されたダウンリンク許可から送信パラメータを取得し、専用パイロットのＰＮシーケンスを容易に生成しうる。干渉を受けたＵＥは、専用パイロットで送信されたパラメータのセットについて異なる仮説を評価することによって、専用パイロットを復調しうる。例えば、専用パイロットでは変調オーダのみが送信され、ＱＰＳＫ、１６−ＱＡＭ、および６４−ＱＡＭからなる３つの変調オーダのみがシステムによってサポートされうる。干渉を受けたＵＥは、その後、ＱＰＳＫ、１６−ＱＡＭ、および６４−ＱＡＭからなる３つの仮説のための専用パイロットを復調し、各仮説のための復調判定基準を取得しうる。干渉を受けたＵＥは、最良の復調判定基準を持つ仮説に基づいて、データ送信のための変調オーダに加えて、チャネル推定値をも取得する。
【００８４】
シンボル・レベル干渉緩和のために、干渉を受けたＵＥは、所望の送信の変調シンボルと、干渉送信の変調シンボルとを区別できることが望ましいであろう。サービス提供セルのための無線チャネルは、しばしば、近隣セルのための無線チャネルとは異なりうる。したがって、干渉を受けたＵＥは、一般に、チャネル推定を実行した後は、所望の送信の変調シンボルと、干渉送信の変調シンボルとを区別しうる。しかしながら、所望の送信の変調シンボルと、干渉送信の変調シンボルとの区別は、例えば、サービス提供セルおよび近隣セルの無線チャネルが、比較的近い場合のような、ある場合には、制限されうる。さらに、（例えば、Ｔ２Ｐのような未知の送信パラメータによる）チャネル情報の不確定性は、特に、雑音が存在する場合には、所望の送信の変調シンボルと、干渉送信の変調シンボルとを区別する機能を制限しうる。
【００８５】
また別の態様では、シンボル・レベルにおいてスクランブリングが実行されることにより、干渉を受けたＵＥは、所望の送信の変調シンボルと、干渉送信の変調シンボルとを区別できるようになる。所与のセルは、サービス提供されたＵＥへのデータ送信の変調シンボル（または、データ・シンボル）を、変調シンボル（または、スクランブリング・シンボル）のスクランブリング・シーケンスを用いて多重化することによって、シンボル・レベルのスクランブリングを実行しうる。このスクランブリング・シーケンスは、（例えば、セルＩＤに基づいて生成された）セルに特有であり、および／または、（例えば、ＵＥ
ＩＤに基づいて生成された）サービス提供されたＵＥに特有でありうる。その他のセル干渉緩和のために、セル特有のスクランブリングを使用することが好ましいであろう。これによって、スクランブリング・シーケンスは、近隣セル内の干渉を受けたＵＥに知られるようになる。何れの場合であれ、スクランブリング・シンボルは、サービス提供されたＵＥのためのデータ・シンボルを、干渉を受けたＵＥのためのデータ・シンボルと区別されうるスクランブルされたシンボルへマップしうる。１つの設計では、スクランブリング・シンボルは、データ送信のために利用可能な変調オーダとは異なる変調オーダ／スキームに基づいて生成されうる。別の設計では、スクランブリング・シンボルは、サービス提供されたＵＥのためのデータ・シンボルをマップする変調オーダに基づいて生成されうる。これによって、干渉送信のスクランブルされたシンボルは、サービス提供セルから、スクランブルされた有効なシンボルとして見えなくなる。
【００８６】
１つの設計では、スクランブリング・シンボルは、８−ＰＳＫに基づいて生成されうる。この設計によって、スクランブルされたシンボルは、直交位相でのみならず、対角軸に沿って回転されるようになりうる。（例えば、ＱＰＳＫ、１６−ＱＡＭ、または６４−ＱＡＭに基づいて生成されたデータ・シンボルとともに）サービス提供セルによって送信されたスクランブルされた信号は、その後、干渉セルによって送信されたスクランブルされたシンボルから容易に区別されうる。対照的に、スクランブリング・シンボルが、ＱＰＳＫに基づいて生成され、データ・シンボルが、ＱＰＳＫ、１６−ＱＡＭ、または６４−ＱＡＭに基づいて生成された場合、サービス提供送信からのスクランブルされたシンボル、および、干渉送信からのスクランブルされたシンボルは、互いに類似しうる。一般に、スクランブルされたシンボルは、データ・シンボルのためのどの信号コンステレーションとも類似しない信号コンステレーションによって定義されねばならない。
【００８７】
データ送信のためのシンボル・レベル・スクランブリングは、干渉緩和のロバスト性を向上しうる。シンボル・レベル・スクランブリングは、エンコーダに提供された情報ビット、または、エンコーダによって生成された符号化ビットとは異なる。シンボル・レベル・スクランブリングによって、所望の送信のデータ・シンボルと干渉送信のデータ・シンボルとは、同じ無線チャネルを用いる場合であっても、区別されるようになる。
【００８８】
図３は、シンボル・レベル・スクランブリングを実行しうる送信プロセッサ３００の設計のブロック図を示す。送信プロセッサ３００内では、エンコーダ３１０が、サービス提供されているＵＥのためのデータを受信し、選択された符号化スキームまたは符号レートに基づいてデータを符号化し、符号化されたデータを提供する。シンボル・マッパ３１２は、符号化されたデータを、選択された変調オーダに基づいて、変調シンボル（または、データ・シンボル）にマップしうる。ＰＮ生成器３２０は、１または複数のスクランブリング・パラメータを受信し、これらスクランブリング・パラメータ（単数または複数）に基づいてＰＮシーケンスを生成しうる。スクランブリング・パラメータ（単数または複数）は、セル特有のスクランブリングのためのセルＩＤ、または、ＵＥ特有のスクランブリングのための、サービス提供されたＵＥのＵＥ  ＩＤ、または、その他いくつかのパラメータ、または、これらの組み合わせを含みうる。シンボル・マッパ３２２は、スクランブリング・シーケンスのために使用された変調オーダ（例えば、８−ＰＳＫ）に基づいて、ＰＮシーケンスのビットを、変調シンボル（または、スクランブリング・シンボル）にマップしうる。乗算器３３０は、シンボル・マッパ３１２からデータ・シンボルを、シンボル・マッパ３２２からスクランブリング・シンボルを受信しうる。乗算器３３０は、対応するスクランブルされたシンボルを生成するために、おのおののデータ・シンボルを、対応するスクランブリング・シンボルと掛け合わせうる。
【００８９】
シンボル・レベル・スクランブリングがおのおののセルによって実行された場合、ＵＥ１２０における受信信号は、以下のように表される。  
【数２７】
0005844313.tif 000028
【００９０】
ここで、Ｑ１（ｋ）は、所望の送信のためのスクランブリング・シーケンスであり、  Ｑ２（ｋ）は、干渉送信のためのスクランブリング・シーケンスである。
【００９１】
ＵＥ１２０は、所望の送信のためのスクランブリング・シーケンスに基づいて、受信信号をデスクランブルし、デスクランブルされた信号を得る。これは、以下のように表される。  
【数２８】
0005844313.tif 000029
【００９２】
ここで、Ｚ（ｋ）は、サービス提供セル１１０のためのデスクランブルされた信号である。
【００９３】
式（１０）に示すように、デスクランブルされた信号は、  
【数２９】
0005844313.tif 000030
【００９４】
に対応する所望の送信のみならず、  
【数３０】
0005844313.tif 000031
【００９５】
に対応するスクランブルされた干渉送信を含む。所望の送信は、選択された変調オーダのためのデータ・シンボルを備えうる。スクランブルされた干渉送信は、スクランブルされたシンボルを備えうる。これは、スクランブリング・シーケンス  
【数３１】
0005844313.tif 000032
【００９６】
によって回転され、したがって、データ・シンボルと区別可能となりうる。
【００９７】
図４は、シンボル・レベル・デクスランブリングを実行しうる受信プロセッサ４００の設計のブロック図を示す。受信プロセッサ４００は、ＵＥの一部でありうる。受信プロセッサ４００内では、受信シンボルを備える受信信号が、乗算器４１２に提供されうる。ユニット４１４は、所望の送信のためのスクランブリング・シーケンスを受信し、結合スクランブリング・シーケンスを、デスクランブリング・シーケンスとして提供しうる。乗算器４１２は、おのおのの受信シンボルを、デスクランブリング・シーケンス内の対応するシンボルと掛け合わせ、対応するデスクランブルされたシンボルを提供しうる。復調器４２０は、例えば変調オーダ、Ｔ２Ｐ等のような１または複数の送信パラメータのみならず、サービス提供セルおよび１または複数の干渉セルのためのチャネル推定値に基づいて、シンボル・レベル干渉緩和とともに復調を実行しうる。復調器４２０は、式（３）乃至（５）に示すようなソフト・シンボル干渉除去とともに復調を実行するか、または、式（６）に示すような基準に基づいて統合復調を実行しうる。何れの場合も、復調器４２０は、サービス提供セルのため、復調されたシンボルを提供しうる。デコーダ４３０は、復調されたシンボルを受信して復号し、復号されたデータをＵＥ１２０のために提供する。
【００９８】
ＵＥ１２０は、サービス提供セル１１０からの所望の送信について、さまざまな方式で復調および復号を実行しうる。第１の設計では、ＵＥ１２０はまず、干渉緩和無しで復調および復号を実行し、サービス提供セル１１０によって送信されたデータを復元する。復号が不成功の場合、ＵＥ１２０は、次に、干渉緩和とともに復調および復号を実行し、サービス提供セル１１０によって送信されたデータを復元する。第２の設計では、ＵＥ１２０は、干渉緩和とともに復調および復号を行い、（干渉緩和無しで復調および復号を実行することを試みることなく、）サービス提供セル１１０によって送信されたデータを復元する。第３の設計では、ＵＥ１２０は、例えばサービス提供セル１１０のためのチャネル品質のような１または複数の要因に基づいて、第１の設計または第２の設計の何れかを用いて、復調および復号を実行しうる。例えば、ＵＥ１２０は、チャネル品質が十分良好である場合には、第１の設計を用いて、その他の場合には、第２の設計を用いて、復調および復号を実行しうる。
【００９９】
別の設計では、ＵＥ１２０は、例えば式（２）に示すように、干渉送信を干渉として取り扱うことによって、所望の送信の復調を実行し、この復調の判定基準を取得しうる。ＵＥ１２０はまた、仮定された、干渉送信の送信パラメータに基づいて、所望の送信の復調を干渉緩和とともに実行し、この復調のための判定基準を取得しうる。ＵＥ１２０はまた、より良好な判定基準を持つ復調出力を選択しうる。
【０１００】
ＵＥ１２０は、干渉緩和とともに復調および復号を、さまざまな方式で実行しうる。１つの設計では、ＵＥ１２０は、干渉を推定し、すべての干渉送信から干渉を除去して、干渉除去された信号を取得する。その後、干渉除去された信号を復号し、サービス提供セル１１０によってＵＥ１２０へ送信されたデータを復元する。別の設計では、ＵＥ１２０が、干渉を推定し、（例えば、最強の干渉送信から始まって）一度に１つの送信から干渉を除去し、おのおのの干渉送信から干渉を除去した後、干渉除去された信号を復号して、サービス提供セル１１０によってＵＥ１２０へ送信されたデータを復元する。また別の設計では、ＵＥ１２０は、干渉を推定し、一度に、干渉送信の１つのセットから、干渉を除去しうる。そして、干渉送信の各々のセットから干渉を除去した後、干渉除去された信号を復号する。ＵＥ１２０はまた、その他の方式で、干渉緩和とともに復調および復号を行う。
【０１０１】
ＵＥ１２０は、さまざまな方式で干渉緩和を実行しうる。１つの設計では、ＵＥ１２０は、仮定された、干渉送信の送信パラメータに基づいて、おのおのの干渉送信のための干渉緩和を実行しうる。別の設計では、ＵＥ１２０は、干渉送信のために使用された送信パラメータのための別の仮説に基づいて、干渉送信のブラインド復調を実行しうる。この設計は、送信パラメータが、（ｉ）どのセルによっても送信されない場合、または、（ｉｉ）送信されたものの、干渉を受けたＵＥによって、何らかの理由によって受信されない場合に使用されうる。干渉を受けたＵＥは、おのおのの仮説に基づいて、干渉送信の復調を実行し、この仮説の判定基準を取得しうる。例えば、干渉を受けたＵＥは、ＱＰＳＫの仮説、１６−ＱＡＭの別の仮説、６４−ＱＡＭのさらに別の仮説に基づいて復調を実行しうる。干渉を受けたＵＥはその後、最良の判定基準を持つ仮説を選択し、選択された仮説に関連付けられたシンボルを復号および復調しうる。
【０１０２】
明瞭のために、干渉緩和のためのさまざまな技術が、具体的に、ダウンリンクにおけるデータ送信について記述された。これらの技術のうちのいくつかまたはすべてはまた、アップリンクにおけるデータ送信のための干渉緩和のためにも使用されうる。セルは、近隣セルによってサービス提供されたＵＥからの干渉送信による干渉を緩和するために、上述したような干渉緩和を実行しうる。
【０１０３】
本明細書に記載された技術は、近隣セルからの干渉送信の干渉緩和のために使用されうる。これは、セル間干渉緩和と称されうる。これら技術はまた、マルチ・ユーザＭＩＭＯ（ＭＵ−ＭＩＭＯ）のためのセル内干渉緩和のためにも使用されうる。ＭＵ−ＭＩＭＯの場合、セルにおける空間分離を用いて（例えば、ビームフォーミングによって）同じ時間−周波数リソースにおけるデータ送信のために複数のＵＥがスケジュールされうる。ＭＵ−ＭＩＭＯは一般に、スケジュールされたおのおののＵＥへ透過であるように設計される。したがって、所与のＵＥは、同じ時間−周波数リソースで同時にスケジュールされた他のＵＥ（単数または複数）に気が付かないかもしれない。ＵＥは、セルによって他のＵＥ（単数または複数）へ送られたその他のデータ送信（単数または複数）に関し、制限された情報しか有さない。例えば、ＵＥは、他のＵＥ（単数または複数）、送信ランク、ＭＣＳ、リソース等の存在を認識しないことがありうる。ＭＵ−ＭＩＭＯの干渉緩和（または、セル内干渉緩和）は、セル間干渉緩和と同様にして実行されうる。セル内干渉緩和とセル間干渉緩和との主な違いは、以下の通りでありうる。
【０１０４】
・セル間干渉緩和は、送信パラメータを伝送するために、セル間通信を必要とするのに対し、セル内干渉緩和は、単一のセルに局在化され、セル間通信を必要としない。
【０１０５】
・セル間コンテキストにおける任意のセル特有の態様が、セル内コンテキスト内の単一のセルに局在化されうる。例えば、（例えば、サービス提供セルと干渉セルとを区別するためのＵＥ−ＲＳスクランブリングおよび／またはデータ・スクランブリングのための）セル特有のスクランブリングにおけるセルＩＤは、同じセルの複数のセルＩＤと交換され、ＭＵ−ＭＩＭＯのために同時にスケジュールされている別のＵＥへ（例えば、準静的に、または、動的に）割り当てられうる。
【０１０６】
ＵＥは、干渉を受けたＵＥが、近隣セルからの干渉送信のための干渉緩和を実行するのと類似した方式で、ＭＵ−ＭＩＭＯのための干渉緩和を実行しうる。ＵＥは、ＭＵ−ＭＩＭＯ送信のためにＵＥと同時にスケジュールされた１または複数の他のＵＥのための少なくとも１つの送信パラメータの情報を受信しうる。上述したように、ＵＥは、ともにスケジュールされたおのおののＵＥのために、パケット・レベルまたはシンボル・レベルの干渉緩和を実行しうる。さらに上述したように、ＵＥはまた、ともにスケジュールされたおのおののＵＥのためのソフト・シンボル干渉除去または統合復調を実行しうる。
【０１０７】
図５は、干渉緩和を実行する処理５００の設計を示す。処理５００は、（後述するように）ダウンリンクでのデータ送信のために第１のＵＥによって、または、アップリンクでのデータ送信のために基地局によって、または、その他いくつかのエンティティによって実行されうる。第１のＵＥは、第１のセルによって第１のＵＥへ送信された第１のデータ送信と、第２のセルによって第２のＵＥへ送信された第２のデータ送信とを備える受信信号を取得しうる（ブロック５１２）。第１のＵＥはまた、第２のデータ送信のため少なくとも１つの送信パラメータの情報を取得する（ブロック５１４）。第１のＵＥは、少なくとも１つの送信パラメータの情報に基づいて、第２のデータ送信のための干渉緩和を実行し、第１のＵＥへ送信された第１のデータ送信を復元する（ブロック５１６）。
【０１０８】
ブロック５１６の１つの設計では、第１のＵＥは、（ｉ）第２のデータ送信を復号して、第２のセルによって第２のＵＥへ送信された少なくとも１つのパケットを復元すること、（ｉｉ）少なくとも１つのパケットに基づいて、第２のデータ送信による干渉を推定すること、および、（ｉｉｉ）推定された干渉を除去することによって、パケット・レベルでの第２のデータ送信のための、干渉緩和を実行しうる。別の設計では、第１のＵＥは、第２のデータ送信を復号することなく、シンボル・レベルにおける第２のデータ送信のための干渉緩和を実行して、第２のセルによって第２のＵＥへ送信されたパケットを復元する。
【０１０９】
シンボル・レベル干渉緩和の１つの設計では、第１のＵＥは、ソフト・シンボル干渉除去を実行しうる。第１のＵＥはまず、少なくとも１つの送信パラメータの情報に基づいて、受信信号を復調して、第２のデータ送信のための復調されたシンボルを取得する。第１のＵＥは、その後、第２のデータ送信のための復調されたシンボルに基づいて、第２のデータ送信による干渉を推定しうる。第１のＵＥは、推定された干渉を、受信信号から引き去り、干渉除去された信号を取得する。第１のＵＥは、その後、干渉除去された信号を復調し、第１のデータ送信の復調されたシンボルを取得する。
【０１１０】
シンボル・レベル干渉緩和の別の設計では、第１のＵＥは、少なくとも１つの送信パラメータの情報に基づいて、受信信号に対する統合復調を実行し、第１のデータ送信と第２のデータ送信との両方のための復調されたシンボルを取得する。第１のＵＥは、第２のデータ送信の復調されたシンボルを破棄し、第１のデータ送信の復調されたシンボルを処理（例えば、復号）する。
【０１１１】
シンボル・レベル干渉緩和の別の設計では、第１のＵＥは、反復的な復調および復号を実行しうる。第１のＵＥは、複数の繰り返しにわたって、干渉緩和とともに復調を実行し、さらに復号を実行しうる。おのおのの繰り返しにおける復調の出力は、同じ繰り返しにおける復号のために使用されうる。おのおのの繰り返しにおける復号の出力は、最後の繰り返しを除いて、次の繰り返しにおける復調のために使用されうる。
【０１１２】
１つの設計では、第１のＵＥは、複数の仮説について、干渉緩和とともに復調を実行しうる。おのおのの仮説は、１または複数の送信パラメータの１または複数の値の別のセットに対応しうる。第１のＵＥは、最良の判定基準を持つ仮説の復調出力を選択しうる。別の設計では、第１のＵＥは、例えば、少なくとも１つの送信パラメータの既知の値または仮定された値に基づいて、単一の仮説のために、干渉緩和とともに復調を実行しうる。
【０１１３】
１つの設計では、第１のＵＥは、例えば、Ｔ２Ｐ、事前符号化情報、送信ランク等のような１または複数の送信パラメータの情報に基づいて、第２のセルから第１のＵＥへの無線チャネルのチャネル推定を取得しうる。この設計は、第２のセルが、第２のセルによってサービス提供されるすべてのＵＥのために共通のパイロット（または、セル特有基準信号）を送信する場合に使用されうる。この設計は、第２のセルが、専用パイロット（またはＵＥ特有基準信号）を第２のＵＥに送信する場合にも使用されうる。何れの場合であれ、第１のＵＥは、チャネル推定に基づいて、干渉緩和とともに復調を実行して、第１のデータ送信の復調されたシンボルを得る。
【０１１４】
１つの設計では、第１のＵＥは、少なくとも１つの送信パラメータの情報を、第１のセルまたは第２のセルによって送信されたシグナリングから取得しうる。別の設計では、第１のＵＥは、少なくとも１つの送信パラメータの情報を、第２のセルによって第２のＵＥへ送信されたパイロット（例えば、専用パイロット）から取得しうる。第１のＵＥはまた、別の方式で、少なくとも１つの送信パラメータの情報を取得しうる。少なくとも１つの送信パラメータの情報は、変調オーダ、またはＭＣＳ、またはＴ２Ｐ、または事前符号化情報（例えば、ＰＭＩ、送信モード・インジケータ等）、または送信ランク、または第２のデータ送信のために割り当てられたリソース、またはその他のいくつかの情報、または、これらの組み合わせを備えうる。１つの設計では、第１のＵＥは、第２のデータ送信のために第２のセルによって使用される少なくとも１つの送信パラメータの実際の値を取得しうる。別の設計では、第１のＵＥは、第２のデータ送信のために第２のセルによって使用される可能性の高い少なくとも１つの送信パラメータのデフォルト値を取得しうる。
【０１１５】
図６は、干渉緩和を実行する装置６００の設計を示す。装置６００は、第１のセルによって第１のＵＥへ送信された第１のデータ送信と、第２のセルによって第２のＵＥへ送信された第２のデータ送信とを備える受信信号を第１のＵＥにおいて取得するモジュール６１２と、第２のデータ送信のための少なくとも１つの送信パラメータの情報を取得するモジュール６１４と、少なくとも１つの送信パラメータの情報に基づいて、第２のデータ送信のための干渉緩和を実行し、第１のＵＥへ送信された第１のデータ送信を復元するモジュール６１６とを含む。
【０１１６】
図７は、干渉緩和をサポートする送信パラメータを送信する処理７００の設計を示す。処理７００は、（以下に説明するように）セルによって実行されうるか、または、その他いくつかのエンティティによって実行されうる。第１のセルによってＵＥへ送られたデータ送信の少なくとも１つの送信パラメータの情報が取得されうる（ブロック７１２）。少なくとも１つの送信パラメータの情報が、第２のセルによってサービス提供される少なくとも１つのＵＥへ送信され、これによって、少なくとも１つのＵＥは、第１のセルによってＵＥへ送られたデータ送信のための干渉緩和を実行できるようになる（ブロック７１４）。
【０１１７】
１つの設計では、ブロック７１２およびブロック７１４は、第１のセルによって実行されうる。別の設計では、ブロック７１２およびブロック７１４は、少なくとも１つの送信パラメータの情報を、バックホールを介して第１のセルから受信しうる第２のセルによって実行されうる。何れの場合であれ、少なくとも１つの送信パラメータの情報は、変調オーダ、またはＭＣＳ、またはＴ２Ｐ、または事前符号化情報、または送信ランク、またはデータ送信のために割り当てられたリソース、またはその他いくつかの情報、またはこれらの組み合わせを備えうる。
【０１１８】
１つの設計では、潜在的な干渉元であるセルまたはＵＥの送信パラメータの情報が、干渉緩和のために、他のＵＥに送られうる。ＵＥまたは第１のセルは、ＵＥからのパイロット測定値、またはＵＥの位置、または少なくとも１つのＵＥからのパイロット測定値、または少なくとも１つのＵＥの位置、またはその他のいくつかの情報、またはこれらの組み合わせに基づいて、少なくとも１つのＵＥへの潜在的な干渉元として識別されうる。 
図８は、干渉緩和をサポートする送信パラメータを送信する装置８００の設計を示す。装置８００は、第１のセルによってＵＥへ送られたデータ送信のための少なくとも１つの送信パラメータの情報を取得するモジュール８１２と、少なくとも１つの送信パラメータの情報を、第２のセルによってサービス提供される少なくとも１つのＵＥへ送信し、少なくとも１つのＵＥに対して、第１のセルによってＵＥへ送られたデータ送信の干渉緩和を実行できるようにするモジュール８１４とを含む。
【０１１９】
図９は、パイロットによって送信パラメータを送信する処理９００の設計を示す。処理９００は、（以下に説明するように）セルによって実行されうるか、または、その他いくつかのエンティティによって実行されうる。セルは、少なくとも１つの送信パラメータに基づいて、データ送信を生成しうる（ブロック９１２）。セルはまた、上記リストされた情報のうちの何れかを含みうる少なくとも１つの送信パラメータのための情報を備えるパイロット（例えば、専用パイロット）を生成しうる（ブロック９１４）。１つの設計では、セルは、少なくとも１つの送信パラメータの情報に基づいて、ＰＮシーケンスを生成し、その後、ＰＮシーケンスに基づいて、パイロットの変調シンボルを生成しうる。セルは、受信ＵＥへパイロットおよびデータ送信を送りうる（ブロック９１６）。その他のＵＥは、データ送信のための干渉緩和を実行するために、パイロットにおける少なくとも１つの送信パラメータの情報を使用しうる。
【０１２０】
図１０は、パイロットによって送信パラメータを送信する装置１０００の設計を示す。装置１０００は、少なくとも１つの送信パラメータに基づいてデータ送信を生成するモジュール１０１２と、少なくとも１つの送信パラメータの情報を備えるパイロットを生成するモジュール１０１４と、パイロットとデータ送信とを送るモジュール１０１６とを含む。
【０１２１】
図１１は、シンボル・レベル・スクランブリングを実行する処理１１００の設計を示す。処理１１００は、（以下に説明するように）セルによって実行されうるか、または、その他いくつかのエンティティによって実行されうる。セルは、データ送信のために変調シンボルを生成しうる（ブロック１１１２）。セルは、スクランブリング・シーケンスに基づいて、変調シンボルをスクランブルして、スクランブルされたシンボルを得る（ブロック１１１４）。セルは、データ送信のために、スクランブルされたシンボルを送信しうる（ブロック１１１６）。
【０１２２】
１つの設計では、セルは、セルＩＤ、またはＵＥ  ＩＤ、またはこれら両方に基づいて、スクランブリング・シーケンスを生成しうる。１つの設計では、セルは、（ｉ）データ送信のために使用されない変調オーダ、または（ｉｉ）データ送信のための変調シンボルを、他の有効な変調シンボルにマップしない変調オーダ、または（ｉｉｉ）８−ＰＳＫ、またはその他いくつかの適切な変調オーダに基づいて、スクランブリング・シーケンスを生成しうる。
【０１２３】
図１２は、シンボル・レベル・スクランブリングを実行する装置１２００の設計を示す。装置１２００は、データ送信のための変調シンボルを生成するモジュール１２１２と、スクランブリング・シーケンスに基づいて変調シンボルをスクランブルして、スクランブルされたシンボルを取得するモジュール１２１４と、スクランブルされたシンボルを、データ送信のために送るモジュール１２１６とを含む。
【０１２４】
図１３は、シンボル・レベル・デスクランブリングを実行する処理１３００の設計を示す。処理１３００は、（以下に説明するように）ＵＥによって実行されうるか、または、その他いくつかのエンティティによって実行されうる。ＵＥは、受信したシンボルを、スクランブリング・シーケンスに基づいて、デスクランブルして、デスクランブルされたシンボルを取得しうる（ブロック１３１２）。１つの設計では、ＵＥは、セルＩＤ、またはＵＥ  ＩＤ、またはこれら両方に基づいて、スクランブリング・シーケンスを生成しうる。ＵＥは、デスクランブルされたシンボルを復調して、復調されたシンボルを取得しうる（ブロック１３１４）。
【０１２５】
１つの設計では、ＵＥは、第１のセルによってＵＥへ送られた第１のデータ送信と、第２のセルによって第２のＵＥへ送られた第２のデータ送信とを備える受信シンボルを取得しうる。ＵＥはまた、第２のデータ送信のための少なくとも１つの送信パラメータの情報を取得しうる。ＵＥは、デスクランブルされたシンボルを、少なくとも１つの送信パラメータの情報に基づいて、干渉緩和とともに復調し、ＵＥへ送られた第１のデータ送信を復元する。
【０１２６】
図１４は、シンボル・レベル・デスクランブリングを実行する装置１４００の設計を示す。装置１４００は、受信シンボルを、スクランブリング・シーケンスに基づいてデスクランブルして、デスクランブルされたシンボルを取得するモジュール１４１２と、デスクランブルされたシンボルを（例えば、干渉緩和とともに）復調して、復調されたシンボルを得るモジュール１４１４とを含む。
【０１２７】
図６、図８、図１０、図１２、および図１４におけるモジュールは、プロセッサ、電子デバイス、ハードウェア・デバイス、電子構成要素、論理回路、メモリ、ソフトウェア・コード、ファームウェア・コード等、またはこれらの任意の組み合わせを備えうる。
【０１２８】
図１５は、図１における基地局１１０およびＵＥ１２０の設計のブロック図を示す。基地局１１０は、Ｔ個のアンテナ１５３４ａ乃至１５３４ｔを備え、ＵＥ１２０は、Ｒ個のアンテナ１５５２ａ乃至１５５２ｒを備えうる。ここで、一般に、Ｔ≧１およびＲ≧１である。
【０１２９】
基地局１１０では、送信プロセッサ１５２０が、１または複数のＵＥのために、データ・ソース１５１２からデータを受信し、ＵＥのために選択された１または複数のＭＣＳに基づいて、おのおののＵＥのためのデータを処理（例えば、符号化および変調）し、すべてのＵＥのためにデータ・シンボルを提供しうる。送信プロセッサ１５２０はまた、コントローラ／プロセッサ１５４０から、制御情報（例えば、近隣セルと通信しているＵＥのための送信パラメータや許可等）を受信しうる。プロセッサ１５２０は、制御情報を処理し、制御シンボルを提供しうる。プロセッサ１５２０はまた、例えば、専用パイロットや共通パイロット等のような１または複数のパイロット／基準信号のためのパイロット/基準シンボルを生成しうる。送信（ＴＸ）ＭＩＭＯプロセッサ１５３０は、適用可能であれば、データ・シンボル、制御シンボル、および／または、パイロット・シンボルに空間処理（例えば、事前符号化）を実行し、Ｔ個の出力シンボル・ストリームをＴ個の送信機（ＴＭＴＲ）１５３２ａ乃至１５３２ｔに提供しうる。おのおのの送信機１５３２は、（例えば、ＯＦＤＭ等のために）それぞれの出力シンボル・ストリームを処理して、出力サンプル・ストリームを得る。おのおのの送信機１５３２はさらに、出力サンプル・ストリームを処理（例えば、アナログ変換、増幅、フィルタ、およびアップコンバート）し、ダウンリンク信号を取得する。送信機１５３２ａ乃至１５３２ｔからのＴ個のダウンリンク信号は、Ｔ個のアンテナ１５３４ａ乃至１５３４ｔを介してそれぞれ送信されうる。
【０１３０】
ＵＥ１２０では、アンテナ１５５２ａ乃至１５５２ｒが、基地局１１０からダウンリンク信号を受信し、受信した信号を、受信機（ＲＣＶＲ）１５５４ａ乃至１５５４ｒへそれぞれ提供しうる。おのおのの受信機１５５４は、受信されたそれぞれの信号を調整（例えば、フィルタ、増幅、ダウンコンバート、およびデジタル化）して、入力サンプルを取得しうる。おのおのの受信機１５５４はさらに、（例えば、ＯＦＤＭ等のため）これら入力サンプルを処理して、受信されたシンボルを取得しうる。ＭＩＭＯ検出器１５５６は、Ｒ個すべての受信機１５５４ａ乃至１５５４ｒから受信したシンボルを取得し、適用可能である場合、これら受信されたシンボルに対してＭＩＭＯ検出を実行し、検出されたシンボルを提供しうる。受信プロセッサ１５５８は、検出されたシンボルを処理（例えば、干渉緩和とともに復調および復号）し、復号されたＵＥ１２０のためのデータをデータ・シンク１５６０に提供し、復号された制御情報をコントローラ／プロセッサ１５８０へ提供しうる。
【０１３１】
アップリンクでは、ＵＥ１２０において、送信プロセッサ１５６４が、データ・ソース１５６２からデータを、コントローラ／プロセッサ１５８０から制御情報を受信し、これらを処理しうる。プロセッサ１５６４はまた、パイロット／基準信号のためのパイロット／基準シンボルを生成しうる。送信プロセッサ１５６４からのシンボルは、適用可能であれば、ＴＸ  ＭＩＭＯプロセッサ１５６６によって事前符号化され、さらに、（例えば、ＳＣ−ＦＤＭ、ＯＦＤＭ等のために）送信機１５５４ａ乃至１５５４ｒによって処理され、基地局１１０へ送信される。基地局１１０では、ＵＥ１２０からのアップリンク信号が、アンテナ１５３４によって受信され、受信機１５３２によって処理され、適用可能な場合にはＭＩＭＯ検出器１５３６によって検出され、さらに、受信プロセッサ１５３８によって処理されて、ＵＥ１２０へ送信された復号されたデータおよび制御情報が取得される。プロセッサ１５３８は、復号されたデータをデータ・シンク１５３９に提供し、復号された制御情報をコントローラ／プロセッサ１５４０へ提供しうる。
【０１３２】
送信プロセッサ１５２０、１５６４はおのおの、図２における送信プロセッサ２００、図３における送信プロセッサ３００、および／または、その他の送信プロセッサ設計を実現しうる。受信プロセッサ１５３８、１５５８はおのおの、図４における受信プロセッサ４００、および／または、その他の受信プロセッサ設計を実現しうる。
【０１３３】
コントローラ／プロセッサ１５４０、１５８０は、基地局１１０およびＵＥ１２０それぞれにおける動作を指示しうる。基地局１１０におけるプロセッサ１５４０および／またはその他のプロセッサおよびモジュールは、図７の処理７００、図９の処理９００、図１１の処理１１００、および／または、本明細書に記載された技術のためのその他の処理の実行または指示を行いうる。ＵＥ１２０におけるプロセッサ１５８０および／またはその他のプロセッサおよびモジュールは、図５における処理５００、図１３における処理１３００、および／または、本明細書に記載された技術のためのその他の処理の実行または指示を行いうる。メモリ１５４２、１５８２は、基地局１１０およびＵＥ１２０それぞれのためのデータおよびプログラム・コードを格納しうる。スケジューラ１５４４は、ダウンリンクおよび／またはアップリンクでのデータ送信のためにＵＥをスケジュールしうる。
【０１３４】
当業者であれば、情報および信号は、さまざまな異なる技術および技法のうちの何れかを用いて表されうることを理解するであろう。例えば、上記説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【０１３５】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、それらの機能の観点から一般的に記載された。それら機能がハードウェアとしてまたはソフトウェアとして実現されるかは、特定のアプリケーションおよびシステム全体に課せられている設計制約に依存する。当業者であれば、特定のアプリケーションおのおのに応じて変化する方式で、上述した機能を実現することができる。しかしながら、この適用判断は、本発明の範囲からの逸脱をもたらすものと解釈されるべきではない。
【０１３６】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロコントローラ、または順序回路でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【０１３７】
本明細書の開示に関連して説明された方法またはアルゴリズムのステップは、ハードウェアで直接に、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に収納されうる。典型的な記憶媒体は、プロセッサがそこから情報を読み取り、またそこに情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリート部品として存在しうる。
【０１３８】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能媒体上に格納されるか、あるいは、コンピュータ読取可能媒体上の１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、そのようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ＣＤ）、レーザ・ディスク、光ディスク、デジタル・バーサタイル・ディスク（ＤＶＤ）、フロッピー（登録商標）ディスク、およびブルー・レイ・ディスクを含む。これらｄｉｓｃは、レーザを用いてデータを光学的に再生する。それに対して、ｄｉｓｋは、通常、データを磁気的に再生する。上記の組み合わせもまた、コンピュータ読取可能媒体の範囲内に含まれるべきである。
【０１３９】
本開示の上記記載は、当業者をして、本開示の製造または利用を可能とするように提供される。この開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
以下に本件出願当初の特許請求の範囲を付記する。
［Ｃ１］
無線通信のための方法であって、
第１のセルによって第１のユーザ機器（ＵＥ）へ送信された第１のデータ送信と、第２のセルによって第２のＵＥへ送信された第２のデータ送信とを備える受信信号を前記第１のＵＥにおいて取得することと、
前記第２のデータ送信のための少なくとも１つの送信パラメータの情報を取得することと、
前記少なくとも１つの送信パラメータの情報に基づいて、前記第２のデータ送信のための干渉緩和を実行し、前記第１のＵＥへ送信された前記第１のデータ送信を復元することと、を備える方法。
［Ｃ２］
前記干渉緩和を実行することは、前記第２のデータ送信を復号することなく、前記第２のデータ送信の干渉緩和をシンボル・レベルで実行することによって、前記第２のセルによって前記第２のＵＥへ送信されたパケットを復元することを備える、［Ｃ１］に記載の方法。
［Ｃ３］
前記干渉緩和を実行することは、前記第２のデータ送信を復号して、前記第２のセルによって前記第２のＵＥへ送信された少なくとも１つのパケットを復元し、前記少なくとも１つのパケットに基づいて、前記第２のデータ送信による干渉を推定することによって、前記第２のデータ送信のための干渉緩和をパケット・レベルで実行することを備える、［Ｃ１］に記載の方法。
［Ｃ４］
前記干渉緩和を実行することは、
前記受信信号を、前記少なくとも１つの送信パラメータの情報に基づいて復調して、前記第２のデータ送信のための復調されたシンボルを取得することと、
前記第２のデータ送信のための復調されたシンボルに基づいて、前記第２のデータ送信による干渉を推定することと、
前記推定された干渉を、前記受信信号から引き去り、干渉除去された信号を取得することと、
前記干渉除去された信号を復調し、前記第１のデータ送信の復調されたシンボルを取得することと、を備える［Ｃ１］に記載の方法。
［Ｃ５］
前記干渉緩和を実行することは、前記少なくとも１つの送信パラメータの情報に基づいて、前記受信信号に対して統合復調を実行し、前記第１のデータ送信および前記第２のデータ送信のための復調されたシンボルを取得することを備える、［Ｃ１］に記載の方法。
［Ｃ６］
前記干渉緩和を実行することは、複数の繰り返しにわたって、干渉緩和とともに復調を実行し、さらに復号を実行することを備え、
おのおのの繰り返しにおける復調の出力は、前記繰り返しにおける復号のために使用され、
おのおのの繰り返しにおける復号の出力は、最後の繰り返しを除いて、次の繰り返しにおける復調のために使用される、［Ｃ１］に記載の方法。
［Ｃ７］
前記干渉緩和を実行することは、複数の繰り返しにわたって、干渉緩和とともに復調を実行することを備え、
おのおのの仮説は、前記少なくとも１つの送信パラメータのうちの１または複数の値の別のセットに対応する、［Ｃ１］に記載の方法。
［Ｃ８］
前記干渉緩和を実行することは、
前記少なくとも１つの送信パラメータのうちの１または複数の情報に基づいて、前記第２のセルから前記第１のＵＥへの無線チャネルのチャネル推定値を得ることと、
さらに前記チャネル推定に基づいて、干渉緩和とともに復調を実行して、前記第１のデータ送信の復調されたシンボルを得ることと、を備える［Ｃ１］に記載の方法。
［Ｃ９］
前記少なくとも１つの送信パラメータの情報は、変調オーダ、または変調および符号化スキーム（ＭＣＳ）、またはトラフィック対パイロット比（Ｔ２Ｐ）、または事前符号化情報、または送信ランク、または前記第２のデータ送信のために割り当てられたリソース、またはこれらの組み合わせを備える、［Ｃ１］に記載の方法。
［Ｃ１０］
前記少なくとも１つの送信パラメータの情報を取得することは、前記第２のデータ送信のために前記第２のセルによって使用される少なくとも１つの送信パラメータの実際の値を取得することを備える、［Ｃ１］に記載の方法。
［Ｃ１１］
前記少なくとも１つの送信パラメータの情報を取得することは、前記第２のデータ送信のために前記第２のセルによって使用される可能性の高い少なくとも１つの送信パラメータのデフォルト値を取得することを備える、［Ｃ１］に記載の方法。
［Ｃ１２］
前記少なくとも１つの送信パラメータの情報を取得することは、前記少なくとも１つの送信パラメータの情報を、前記第１のセルまたは前記第２のセルによって送信されたシグナリングから取得することを備える、［Ｃ１］に記載の方法。
［Ｃ１３］
前記少なくとも１つの送信パラメータの情報を取得することは、前記少なくとも１つの送信パラメータの情報を、前記第２のセルによって前記第２のＵＥへ送信されたパイロットから取得することを備える、［Ｃ１］に記載の方法。
［Ｃ１４］
無線通信のための装置であって、
第１のセルによって第１のユーザ機器（ＵＥ）へ送信された第１のデータ送信と、第２のセルによって第２のＵＥへ送信された第２のデータ送信とを備える受信信号を前記第１のＵＥにおいて取得する手段と、
前記第２のデータ送信のための少なくとも１つの送信パラメータの情報を取得する手段と、
前記少なくとも１つの送信パラメータの情報に基づいて、前記第２のデータ送信のための干渉緩和を実行し、前記第１のＵＥへ送信された前記第１のデータ送信を復元する手段と、を備える装置。
［Ｃ１５］
前記干渉緩和を実行する手段は、前記第２のデータ送信を復号することなく、前記第２のデータ送信の干渉緩和をシンボル・レベルで実行することによって、前記第２のセルによって前記第２のＵＥへ送信されたパケットを復元する手段を備える、［Ｃ１４］に記載の装置。
［Ｃ１６］
前記干渉緩和を実行する手段は、前記第２のデータ送信を復号して、前記第２のセルによって前記第２のＵＥへ送信された少なくとも１つのパケットを復元し、前記少なくとも１つのパケットに基づいて、前記第２のデータ送信による干渉を推定することによって、前記第２のデータ送信のための干渉緩和をパケット・レベルで実行する手段を備える、［Ｃ１４］に記載の装置。
［Ｃ１７］
前記干渉緩和を実行する手段は、
前記受信信号を、前記少なくとも１つの送信パラメータの情報に基づいて復調して、前記第２のデータ送信のための復調されたシンボルを取得する手段と、
前記第２のデータ送信のための復調されたシンボルに基づいて、前記第２のデータ送信による干渉を推定する手段と、
前記推定された干渉を、前記受信信号から引き去り、干渉除去された信号を取得する手段と、
前記干渉除去された信号を復調し、前記第１のデータ送信の復調されたシンボルを取得する手段と、を備える［Ｃ１４］に記載の装置。
［Ｃ１８］
前記干渉緩和を実行する手段は、前記少なくとも１つの送信パラメータの情報に基づいて、前記受信信号に対して統合復調を実行し、前記第１のデータ送信および前記第２のデータ送信のための復調されたシンボルを取得する手段を備える、［Ｃ１４］に記載の装置。
［Ｃ１９］
無線通信のための装置であって、
第１のセルによって第１のユーザ機器（ＵＥ）へ送信された第１のデータ送信と、第２のセルによって第２のＵＥへ送信された第２のデータ送信とを備える受信信号を前記第１のＵＥにおいて取得し、
前記第２のデータ送信のための少なくとも１つの送信パラメータの情報を取得し、
前記少なくとも１つの送信パラメータの情報に基づいて、前記第２のデータ送信のための干渉緩和を実行し、前記第１のＵＥへ送信された前記第１のデータ送信を復元する、ように構成された少なくとも１つのプロセッサを備える、装置。
［Ｃ２０］
コンピュータ・プログラム製品であって、
少なくとも１つのコンピュータに対して、第１のセルによって第１のユーザ機器（ＵＥ）へ送信された第１のデータ送信と、第２のセルによって第２のＵＥへ送信された第２のデータ送信とを備える受信信号を前記第１のＵＥにおいて取得させるためのコードと、
前記少なくとも１つのコンピュータに対して、前記第２のデータ送信のための少なくとも１つの送信パラメータの情報を取得させるためのコードと、
前記少なくとも１つのコンピュータに対して、前記少なくとも１つの送信パラメータの情報に基づいて、前記第２のデータ送信のための干渉緩和を実行し、前記第１のＵＥへ送信された前記第１のデータ送信を復元させるためのコードと、を備えるコンピュータ読取可能媒体を備える、コンピュータ・プログラム製品。
［Ｃ２１］
無線通信のための方法であって、
第１のセルによってユーザ機器（ＵＥ）へ送られたデータ送信のための少なくとも１つの送信パラメータの情報を取得することと、
前記少なくとも１つの送信パラメータの情報を、第２のセルによってサービス提供される少なくとも１つのＵＥへ送信し、前記少なくとも１つのＵＥに対して、前記第１のセルによって前記ＵＥへ送られたデータ送信の干渉緩和を実行できるようにすることと、を備える方法。
［Ｃ２２］
前記少なくとも１つの送信パラメータの情報は、変調オーダ、または変調および符号化スキーム（ＭＣＳ）、またはトラフィック対パイロット比（Ｔ２Ｐ）、または事前符号化情報、または送信ランク、または前記データ送信のために割り当てられたリソース、またはこれらの組み合わせを備える、［Ｃ２１］に記載の方法。
［Ｃ２３］
前記情報を取得することと、前記情報を送信することとは、前記第１のセルによって実行される、［Ｃ２１］に記載の方法。
［Ｃ２４］
前記情報を取得することと、前記情報を送信することとは、前記第２のセルによって実行され、
前記情報を取得することは、前記第１のセルからの少なくとも１つの送信パラメータの情報を、バックホールを介して前記第２のセルのよって受信することを備える、［Ｃ２１］に記載の方法。
［Ｃ２５］
前記ＵＥまたは前記第１のセルを、前記ＵＥからのパイロット測定値、または前記ＵＥの位置、または前記少なくとも１つのＵＥからのパイロット測定値、または前記少なくとも１つのＵＥの位置、またはこれらの組み合わせに基づいて、前記少なくとも１つのＵＥに対する潜在的な干渉元として識別することをさらに備える、［Ｃ２１］に記載の方法。
［Ｃ２６］
無線通信のための装置であって、
第１のセルによってユーザ機器（ＵＥ）へ送られたデータ送信のための少なくとも１つの送信パラメータの情報を取得する手段と、
前記少なくとも１つの送信パラメータの情報を、第２のセルによってサービス提供される少なくとも１つのＵＥへ送信し、前記少なくとも１つのＵＥに対して、前記第１のセルによって前記ＵＥへ送られたデータ送信の干渉緩和を実行できるようにする手段と、を備える装置。
［Ｃ２７］
前記少なくとも１つの送信パラメータの情報は、変調オーダ、または変調および符号化スキーム（ＭＣＳ）、またはトラフィック対パイロット比（Ｔ２Ｐ）、または事前符号化情報、または送信ランク、または前記データ送信のために割り当てられたリソース、またはこれらの組み合わせを備える、［Ｃ２６］に記載の装置。
［Ｃ２８］
無線通信のための装置であって、
第１のセルによってユーザ機器（ＵＥ）へ送られたデータ送信のための少なくとも１つの送信パラメータの情報を取得し、
前記少なくとも１つの送信パラメータの情報を、第２のセルによってサービス提供される少なくとも１つのＵＥへ送信し、前記少なくとも１つのＵＥに対して、前記第１のセルによって前記ＵＥへ送られたデータ送信の干渉緩和を実行できるようにするように構成された少なくとも１つのプロセッサを備える、装置。
［Ｃ２９］
コンピュータ・プログラム製品であって、
少なくとも１つのコンピュータに対して、第１のセルによってユーザ機器（ＵＥ）へ送られたデータ送信のための少なくとも１つの送信パラメータの情報を取得させるためのコードと、
前記少なくとも１つのコンピュータに対して、前記少なくとも１つの送信パラメータの情報を、第２のセルによってサービス提供される少なくとも１つのＵＥへ送信し、前記少なくとも１つのＵＥに対して、前記第１のセルによって前記ＵＥへ送られたデータ送信の干渉緩和を実行できるようにさせるためのコードと、を備えるコンピュータ読取可能媒体を備える、コンピュータ・プログラム製品。
［Ｃ３０］
無線通信のための方法であって、
少なくとも１つの送信パラメータに基づいてデータ送信を生成することと、
前記少なくとも１つの送信パラメータの情報を備えるパイロットを生成することと、
前記パイロットおよび前記データ送信を送信すること、を備える方法。
［Ｃ３１］
前記少なくとも１つの送信パラメータの情報は、変調オーダ、または変調および符号化スキーム（ＭＣＳ）、またはトラフィック対パイロット比（Ｔ２Ｐ）、または事前符号化情報、または送信ランク、または前記データ送信のために割り当てられたリソース、またはこれらの組み合わせを備える、［Ｃ３０］に記載の方法。
［Ｃ３２］
前記パイロットを生成することは、
前記少なくとも１つの送信パラメータの情報に基づいて、擬似乱数（ＰＮ）シーケンスを生成することと、
前記ＰＮシーケンスに基づいて、前記パイロットのための変調シンボルを生成することと、を備える［Ｃ３０］に記載の方法。
［Ｃ３３］
無線通信のための装置であって、
少なくとも１つの送信パラメータに基づいてデータ送信を生成する手段と、
前記少なくとも１つの送信パラメータの情報を備えるパイロットを生成する手段と、
前記パイロットおよび前記データ送信を送信する手段と、を備える装置。
［Ｃ３４］
前記パイロットを生成する手段は、
前記少なくとも１つの送信パラメータの情報に基づいて、擬似乱数（ＰＮ）シーケンスを生成する手段と、
前記ＰＮシーケンスに基づいて、前記パイロットのための変調シンボルを生成する手段と、を備える［Ｃ３３］に記載の装置。
［Ｃ３５］
無線通信のための装置であって、
少なくとも１つの送信パラメータに基づいてデータ送信を生成し、
前記少なくとも１つの送信パラメータの情報を備えるパイロットを生成し、
前記パイロットおよび前記データ送信を送信するように構成された少なくとも１つのプロセッサを備える、装置。
［Ｃ３６］
コンピュータ・プログラム製品であって、
少なくとも１つのコンピュータに対して、少なくとも１つの送信パラメータに基づいてデータ送信を生成させるためのコードと、
少なくとも１つのコンピュータに対して、前記少なくとも１つの送信パラメータの情報を備えるパイロットを生成させるためのコードと、
少なくとも１つのコンピュータに対して、前記パイロットおよび前記データ送信を送信させるためのコードと、を備えるコンピュータ読取可能媒体を備える、コンピュータ・プログラム製品。
［Ｃ３７］
無線通信のための方法であって、
データ送信のための変調シンボルを生成することと、
前記変調シンボルを、スクランブリング・シーケンスに基づいてスクランブルして、スクランブルされたシンボルを取得することと、
前記スクランブルされたシンボルを、前記データ送信のために送信することと、を備える方法。
［Ｃ３８］
セル・アイデンティティ（ＩＤ）、またはユーザ機器アイデンティティ（ＵＥ  ＩＤ）、またはこれら両方に基づいて、前記スクランブリング・シーケンスを生成することをさらに備える、［Ｃ３７］に記載の方法。
［Ｃ３９］
前記データ送信のために使用されない変調オーダに基づいて、前記スクランブリング・シーケンスを生成することをさらに備える、［Ｃ３７］に記載の方法。
［Ｃ４０］
セルからのデータ送信のスクランブルされたシンボルを、別のセルからの有効なスクランブルされたシンボルにマップしない変調オーダに基づいて、前記スクランブリング・シーケンスを生成することをさらに備える、［Ｃ３７］に記載の方法。
［Ｃ４１］
８−アレイ・フェーズ・シフト・キーイング（８−ＰＳＫ）に基づいて、前記スクランブリング・シーケンスを生成することをさらに備える、［Ｃ３７］に記載の方法。
［Ｃ４２］
無線通信のための装置であって、
データ送信のための変調シンボルを生成する手段と、
前記変調シンボルを、スクランブリング・シーケンスに基づいてスクランブルして、スクランブルされたシンボルを取得する手段と、
前記スクランブルされたシンボルを、前記データ送信のために送信する手段と、を備える装置。
［Ｃ４３］
セル・アイデンティティ（ＩＤ）、またはユーザ機器アイデンティティ（ＵＥ  ＩＤ）、またはこれら両方に基づいて、前記スクランブリング・シーケンスを生成する手段をさらに備える、［Ｃ４２］に記載の装置。
［Ｃ４４］
前記データ送信のために使用されない変調オーダに基づいて、前記スクランブリング・シーケンスを生成する手段をさらに備える、［Ｃ４２］に記載の装置。
［Ｃ４５］
無線通信のための装置であって、
データ送信のための変調シンボルを生成し、
前記変調シンボルを、スクランブリング・シーケンスに基づいてスクランブルして、スクランブルされたシンボルを取得し、
前記スクランブルされたシンボルを、前記データ送信のために送信する、ように構成された少なくとも１つのプロセッサを備える、装置。
［Ｃ４６］
コンピュータ・プログラム製品であって、
少なくとも１つのコンピュータに対して、データ送信のための変調シンボルを生成させるためのコードと、
前記少なくとも１つのコンピュータに対して、前記変調シンボルをスクランブリング・シーケンスに基づいてスクランブルして、スクランブルされたシンボルを取得させるためのコードと、
前記少なくとも１つのコンピュータに対して、前記スクランブルされたシンボルを、前記データ送信のために送信させるためのコードと、を備えるコンピュータ読取可能媒体を備える、コンピュータ・プログラム製品。
［Ｃ４７］
無線通信のための方法であって、
受信されたシンボルを、スクランブリング・シーケンスに基づいてデスクランブルして、デスクランブルされたシンボルを取得することと、
前記デスクランブルされたシンボルを復調して、復調されたシンボルを取得することと、
を備える方法。
［Ｃ４８］
セル・アイデンティティ（ＩＤ）、またはユーザ機器アイデンティティ（ＵＥ  ＩＤ）、またはこれら両方に基づいて、前記スクランブリング・シーケンスを生成することをさらに備える、［Ｃ４７］に記載の方法。
［Ｃ４９］
第１のセルによって第１のユーザ機器（ＵＥ）へ送信された第１のデータ送信と、第２のセルによって第２のＵＥへ送信された第２のデータ送信とを備える前記受信されたシンボルを取得することと、
前記第２のデータ送信のための少なくとも１つの送信パラメータの情報を取得することとをさらに備え、
前記デスクランブルされたシンボルを復調することは、前記デスクランブルされたシンボルを、前記少なくとも１つの送信パラメータの情報に基づいて、干渉緩和とともに復調し、前記第１のＵＥへ送信された前記第１のデータ送信を復元することをさらに備える、［Ｃ４７］に記載の方法。
［Ｃ５０］
無線通信のための装置であって、
受信シンボルを、スクランブリング・シーケンスに基づいてデスクランブルして、デスクランブルされたシンボルを取得する手段と、
前記デスクランブルされたシンボルを復調して、復調されたシンボルを取得する手段と、
を備える装置。
［Ｃ５１］
セル・アイデンティティ（ＩＤ）、またはユーザ機器アイデンティティ（ＵＥ  ＩＤ）、またはこれら両方に基づいて、前記スクランブリング・シーケンスを生成する手段をさらに備える、［Ｃ５０］に記載の装置。
［Ｃ５２］
第１のセルによって第１のユーザ機器（ＵＥ）へ送信された第１のデータ送信と、第２のセルによって第２のＵＥへ送信された第２のデータ送信とを備える前記受信されたシンボルを取得する手段と、
前記第２のデータ送信のための少なくとも１つの送信パラメータの情報を取得する手段とをさらに備え、
前記デスクランブルされたシンボルを復調する手段は、前記デスクランブルされたシンボルを、前記少なくとも１つの送信パラメータの情報に基づいて、干渉緩和とともに復調し、前記第１のＵＥへ送信された第１のデータ送信を復元する手段を備える、［Ｃ５０］に記載の装置。
［Ｃ５３］
無線通信のための装置であって、
受信されたシンボルを、スクランブリング・シーケンスに基づいてデスクランブルして、デスクランブルされたシンボルを取得し、
前記デスクランブルされたシンボルを復調して、復調されたシンボルを取得するように構成された少なくとも１つのプロセッサを備える、装置。
［Ｃ５４］
コンピュータ・プログラム製品であって、
少なくとも１つのコンピュータに対して、受信されたシンボルを、スクランブリング・シーケンスに基づいてデスクランブルして、デスクランブルされたシンボルを取得させるためのコードと、
前記少なくとも１つのコンピュータに対して、前記デスクランブルされたシンボルを復調して、復調されたシンボルを取得させるためのコードと、を備えるコンピュータ読取可能媒体を備える、コンピュータ・プログラム製品。
［Ｃ５５］
無線通信のための方法であって、
セルによって第１のユーザ機器（ＵＥ）へ送信された第１のデータ送信と、前記セルによって第２のＵＥへ送信された第２のデータ送信とを備えるマルチ・ユーザ複数入力複数出力（ＭＵ−ＭＩＭＯ）送信を、前記第１のＵＥにおいて受信することと、
前記第２のデータ送信のための少なくとも１つの送信パラメータの情報を取得することと、
前記少なくとも１つの送信パラメータの情報に基づいて、前記第２のデータ送信のための干渉緩和を実行し、前記第１のＵＥへ送信された前記第１のデータ送信を復元することと、を備える方法。
［Ｃ５６］
前記干渉緩和を実行することは、前記第２のデータ送信を復号することなく、前記第２のデータ送信の干渉緩和をシンボル・レベルで実行することによって、前記セルによって前記第２のＵＥへ送信されたパケットを復元することを備える、［Ｃ５５］に記載の方法。
［Ｃ５７］
無線通信のための装置であって、
セルによって第１のユーザ機器（ＵＥ）へ送信された第１のデータ送信と、前記セルによって第２のＵＥへ送信された第２のデータ送信とを備えるマルチ・ユーザ複数入力複数出力（ＭＵ−ＭＩＭＯ）送信を、前記第１のＵＥにおいて受信する手段と、
前記第２のデータ送信のための少なくとも１つの送信パラメータの情報を取得する手段と、
前記少なくとも１つの送信パラメータの情報に基づいて、前記第２のデータ送信のための干渉緩和を実行し、前記第１のＵＥへ送信された前記第１のデータ送信を復元する手段と、を備える装置。
［Ｃ５８］
前記干渉緩和を実行する手段は、前記第２のデータ送信を復号することなく、前記第２のデータ送信の干渉緩和をシンボル・レベルで実行することによって、前記セルによって前記第２のＵＥへ送信されたパケットを復元する手段を備える、［Ｃ５７］に記載の装置。
［Ｃ５９］
無線通信のための装置であって、
セルによって第１のユーザ機器（ＵＥ）へ送信された第１のデータ送信と、前記セルによって第２のＵＥへ送信された第２のデータ送信とを備えるマルチ・ユーザ複数入力複数出力（ＭＵ−ＭＩＭＯ）送信を、前記第１のＵＥにおいて受信し、
前記第２のデータ送信のための少なくとも１つの送信パラメータの情報を取得し、
前記少なくとも１つの送信パラメータの情報に基づいて、前記第２のデータ送信のための干渉緩和を実行し、
前記第１のＵＥへ送信された前記第１のデータ送信を復元する、ように構成された少なくとも１つのプロセッサを備える、装置。
［Ｃ６０］
コンピュータ・プログラム製品であって、
少なくとも１つのコンピュータに対して、セルによって第１のユーザ機器（ＵＥ）へ送信された第１のデータ送信と、前記セルによって第２のＵＥへ送信された第２のデータ送信とを備えるマルチ・ユーザ複数入力複数出力（ＭＵ−ＭＩＭＯ）送信を、前記第１のＵＥにおいて受信させるためのコードと、
前記少なくとも１つのコンピュータに対して、前記第２のデータ送信のための少なくとも１つの送信パラメータの情報を取得させるためのコードと、
前記少なくとも１つのコンピュータに対して、前記少なくとも１つの送信パラメータの情報に基づいて、前記第２のデータ送信のための干渉緩和を実行し、前記第１のＵＥへ送信された前記第１のデータ送信を復元させるためのコードと、を備えるコンピュータ読取可能媒体を備える、コンピュータ・プログラム製品。
【図１】
0005844313.tif 000033
【図２】
0005844313.tif 000034
【図３】
0005844313.tif 000035
【図４】
0005844313.tif 000036
【図５】
0005844313.tif 000037
【図６】
0005844313.tif 000038
【図７】
0005844313.tif 000039
【図８】
0005844313.tif 000040
【図９】
0005844313.tif 000041
【図１０】
0005844313.tif 000042
【図１１】
0005844313.tif 000043
【図１２】
0005844313.tif 000044
【図１３】
0005844313.tif 000045
【図１４】
0005844313.tif 000046
【図１５】
0005844313.tif 000047